(57)【要約】【課題】照明の演出範囲を限定することなく、色温度を変化させる。【解決手段】発光色の異なる複数の環状蛍光灯１１Ａ，１１Ｂと、これらをそれぞれ個別に点灯する複数の点灯回路部１２Ａ，１２Ｂと、これらの入力側にそれぞれ設けられる複数のインターフェース１３Ａ，１３Ｂと、リモコン３から所定操作による所定入力情報を受信するリモコン受信部１４と、このリモコン受信部１４で受信された入力情報に従って、複数のインターフェース１３Ａ，１３Ｂを介して複数の点灯回路部１２Ａ，１２Ｂを制御することにより、環状蛍光灯１１Ａ，１１Ｂから放射される全光束および全放射光の色温度を連動させながら連続的に変化させる制御部１０とを備えた。【選択図】　図１
2004095369.tif 000002
【特許請求の範囲】
【請求項１】
発光色の異なる複数の光源と、これら複数の光源をそれぞれ個別に点灯する複数の点灯回路部と、これら複数の点灯回路部を制御することにより、前記複数の光源から放射される全光束および全放射光の色温度を連動させながら連続的に変化させる制御部とを備えることを特徴とする照明装置。
【請求項２】
前記制御部は、前記全光束の調節入力情報に従って、前記全光束を連続的に変化させるとともに前記全放射光の色温度を連続的に変化させることを特徴とする請求項１記載の照明装置。
【請求項３】
前記制御部は、前記全光束の増加調節操作による入力情報に従って、前記全光束を連続的に増加させるとともに前記全放射光の色温度を連続的に高くする一方、前記全光束の減少調節操作による入力情報に従って、前記全光束を連続的に減少させるとともに前記全放射光の色温度を連続的に低くすることを特徴とする請求項１または２記載の照明装置。
【請求項４】
前記制御部は、照度と色温度の変化に関する官能評価により導かれた制御曲線または直線に沿って、前記全光束および全放射光の色温度を連動させて連続的に変化させることを特徴とする請求項１から３のいずれかに記載の照明装置。
【請求項５】
前記複数の光源のうち少なくとも１つの光源は白熱電球であることを特徴とする請求項１から４のいずれかに記載の照明装置。
【請求項６】
前記複数の光源のうち少なくとも１つの光源は環形蛍光灯であることを特徴とする請求項１から４のいずれかに記載の照明装置。
【請求項７】
前記複数の光源のうち少なくとも１つの光源は直管蛍光灯であることを特徴とする請求項１から４のいずれかに記載の照明装置。
【請求項８】
前記複数の光源のうち少なくとも１つの光源は、発光ダイオードまたは発光ダイオードの集合体により構成されることを特徴とする請求項１から４のいずれかに記載の照明装置。
【発明の詳細な説明】
【０００１】
【発明の属する技術分野】
本発明は、発光色の異なる複数の光源を備え、これら複数の光源から色温度の異なる放射光を発するようにした照明装置に関するものである。
【０００２】
【従来の技術】
この種の照明装置では、複数種類の光源を点滅制御または調光制御することにより、複数種類の光源から色温度の異なる放射光を発するようにし、照明の演出をするようになっている。
【０００３】
例えば、特開昭６２−００５５９９号公報には、図８に示すように、複数個の環状蛍光灯（１０１，１０２，１０３）のうち少なくとも一つは他と異なる色の光を発する環状蛍光灯とするとともに、複数個の環状蛍光灯のうち少なくとも一つの光出力を可変とした光色可変照明装置が記載されている。この装置では、環状蛍光灯のいずれかの光出力を選択的に増減させ、あるいはそれを点滅させることによって、希望する色の光を発しさせることができる。
【０００４】
また、特開平１１−１９１４９５号公報には、図９に示すように、放射光の色温度がそれぞれ異なる複数の蛍光ランプ（２１６，２１７，２１８）と、複数の蛍光ランプを個別に付勢する点灯回路（２１５）と、複数の蛍光ランプから放射される全光束が略一定となるように、かつ、全放射光の色温度を変化させるように点灯回路を制御する制御部（２１１）とを具備している放電ランプ用点灯装置が記載されている。この装置では、全放射光の色温度を変化させた場合、複数の蛍光ランプから放射される全光束が略一定となるように点灯回路が制御される。
【０００５】
【発明が解決しようとする課題】
しかしながら、特開昭６２−００５５９９号公報に記載の装置では、複数個の環状蛍光灯の各光出力を選択的に増減させる必要があるので、所定の全光束および色温度に調節するには、照明に関する専門的な知識に加えて複雑な調節作業が必要となる。
【０００６】
他方、特開平１１−１９１４９５号公報に記載の装置では、複数の蛍光ランプから放射される全光束が略一定となるので、照明の演出範囲が限定される問題がある。
【０００７】
本発明は、上記事情に鑑みてなされたものであり、照明の演出範囲を限定することなく、色温度を変化させることができる照明装置を提供することを目的とする。
【０００８】
【課題を解決するための手段】
上記課題を解決するための請求項１記載の発明の照明装置は、発光色の異なる複数の光源と、これら複数の光源をそれぞれ個別に点灯する複数の点灯回路部と、これら複数の点灯回路部を制御することにより、前記複数の光源から放射される全光束および全放射光の色温度を連動させながら連続的に変化させる制御部とを備えることを特徴とする。
【０００９】
請求項２記載の発明は、請求項１記載の照明装置において、前記制御部は、前記全光束の調節入力情報に従って、前記全光束を連続的に変化させるとともに前記全放射光の色温度を連続的に変化させることを特徴とする。
【００１０】
請求項３記載の発明は、請求項１または２記載の照明装置において、前記制御部は、前記全光束の増加調節操作による入力情報に従って、前記全光束を連続的に増加させるとともに前記全放射光の色温度を連続的に高くする一方、前記全光束の減少調節操作による入力情報に従って、前記全光束を連続的に減少させるとともに前記全放射光の色温度を連続的に低くすることを特徴とする。
【００１１】
請求項４記載の発明は、請求項１から３のいずれかに記載の照明装置において、前記制御部は、照度と色温度の変化に関する官能評価により導かれた制御曲線または直線に沿って、前記全光束および全放射光の色温度を連動させて連続的に変化させることを特徴とする。
【００１２】
請求項５記載の発明は、請求項１から４のいずれかに記載の照明装置において、前記複数の光源のうち少なくとも１つの光源は白熱電球であることを特徴とする。
【００１３】
請求項６記載の発明は、請求項１から４のいずれかに記載の照明装置において、前記複数の光源のうち少なくとも１つの光源は環形蛍光灯であることを特徴とする。
【００１４】
請求項７記載の発明は、請求項１から４のいずれかに記載の照明装置において、前記複数の光源のうち少なくとも１つの光源は直管蛍光灯であることを特徴とする。
【００１５】
請求項８記載の発明は、請求項１から４のいずれかに記載の照明装置において、前記複数の光源のうち少なくとも１つの光源は、発光ダイオードまたは発光ダイオードの集合体により構成されることを特徴とする。
【００１６】
【発明の実施の形態】
（第１実施形態）
図１は本発明に係る第１実施形態の照明装置の構成図、図２は同照明装置の構造を示す図、図３は同照明装置用のリモコンを示す図、図４は同照明装置の制御部による制御内容の説明図である。
【００１７】
第１実施形態の照明装置は、図２，図３に示すように、天井に取り付けられる照明器具本体１と、この照明器具本体１を覆うドーム状のシェード２とにより構成され、リモコン３が別に設けられるようになっている。
【００１８】
照明器具本体１は、図１，図２に示すように、発光色の異なる複数種類（第１実施形態では２種類）の環状蛍光灯１１Ａ，１１Ｂと、これら複数種類の環状蛍光灯１１Ａ，１１Ｂをそれぞれ個別に点灯する複数の点灯回路部１２Ａ，１２Ｂと、これらの入力側にそれぞれ設けられる複数のインターフェース１３Ａ，１３Ｂと、リモコン３から所定操作による所定入力情報（コマンド）を受信するリモコン受信部１４と、このリモコン受信部１４で受信された入力情報に従って、複数のインターフェース１３Ａ，１３Ｂを介して複数の点灯回路部１２Ａ，１２Ｂを制御（例えば点滅または調光制御）することにより、複数種類の環状蛍光灯１１Ａ，１１Ｂから放射される全光束および全放射光の色温度を連動させながら連続的に変化させる制御部１０とを備えている。
【００１９】
第１実施形態では、環状蛍光灯１１Ａには昼光色蛍光灯が使用され、環状蛍光灯１１Ｂには電球色蛍光灯が使用される。
【００２０】
そして、制御部１０は、リモコン３から、全光束の増加（照度アップ）調節操作として「明」ボタン３１を押す操作による入力情報をリモコン受信部１４で受信すると、その入力情報に従って、上記全光束を連続的に増加させるとともに上記全放射光の色温度を連続的に高くする制御を実行する。また、制御部１０は、リモコン３から、全光束の減少（照度ダウン）調節操作として「暗」ボタン３２を押す操作による入力情報をリモコン受信部１４で受信すると、その入力情報に従って、上記全光束を連続的に減少させるとともに上記全放射光の色温度を連続的に低くする制御を実行する。
【００２１】
これらいずれの場合も、全光束とともに環状蛍光灯１１Ａ，１１Ｂの各々の光束が調節制御される。つまり、全光束の変化に連動して、環状蛍光灯１１Ａ，１１Ｂの光束値が個別に調節されるのであるが、第１実施形態では、図４に示すように、照度と色温度の変化に関する制御線に沿って、上記全光束および全放射光の色温度が連動して連続的に変化するように、制御部１０による制御が実行される。図４に示す制御線は、照度［ｌｘ］を指数目盛、色温度［Ｋ］を等分目盛としたとき、制御直線Ｌ１となり、これは全光束（照度）と全放射光の色温度とを変数とする一次関数である。
【００２２】
このように構成される照明装置では、「明」ボタン３１を押す操作が行われ、その操作による入力情報がリモコン３から送信されてリモコン受信部１４で受信されると、その入力情報に従って、照明装置の全光束および全放射光の色温度が連動して図４に示す制御直線Ｌ１に沿って連続的に右方に変化するように、制御部１０が点灯回路部１２Ａ，１２Ｂを制御する。これにより、照明装置の全光束および全放射光の色温度が図４に示す制御直線Ｌ１に沿って連続的に右方に変化する。
【００２３】
一方、「暗」ボタン３２を押す操作が行われ、その操作による入力情報がリモコン３から送信されてリモコン受信部１４で受信されると、その入力情報に従って、照明装置の全光束および全放射光の色温度が連動して図４に示す制御直線Ｌ１に沿って連続的に左方に変化するように、制御部１０が点灯回路部１２Ａ，１２Ｂを制御する。これにより、照明装置の全光束および全放射光の色温度が図４に示す制御直線Ｌ１に沿って連続的に左方に変化する。
【００２４】
第１実施形態によれば、点灯回路部１２Ａ，１２Ｂを制御することにより、環状蛍光灯１１Ａ，１１Ｂから放射される全光束および全放射光の色温度を連動させながら連続的に変化させるので、照明の演出範囲を限定することなく色温度を変化させることができる。
【００２５】
また、全光束の調節入力情報に従って、全光束を連続的に変化させるとともに全放射光の色温度を連続的に変化させるので、照明に関する専門的な知識を必要とせずに、簡単な調節により色温度を変化させることができる。
【００２６】
これらの効果は、少なくとも１つのコンセント受け部を電気スタンドに設けることにより確認することができる。
【００２７】
（第２実施形態）
図５は本発明に係る第２実施形態の照明装置の制御部による制御内容の説明図である。
【００２８】
第２実施形態の照明装置は、制御線が第１実施形態の制御線と相違する以外は第１実施形態の照明装置と同様に構成される。すなわち、第２実施形態の制御線は、照度［ｌｘ］を指数目盛、色温度［Ｋ］を等分目盛としたとき、図５に示すように、高照度ほど色温度の変化率の値が大きい制御曲線Ｌ２になっている。この制御曲線Ｌ２は、全光束（照度）と全放射光の色温度とを変数とし、ｎ次関数またはｎ次関数の組合わさった関数である。
【００２９】
このような第２実施形態でも、第１実施形態と同様の効果が得られる。
【００３０】
（第３実施形態）
図６は本発明に係る第３実施形態の照明装置の制御部による制御内容の説明図である。
【００３１】
第３実施形態の照明装置は、制御線が第１実施形態の制御線と相違する以外は第１実施形態の照明装置と同様に構成される。すなわち、第３実施形態の制御線は、照度［ｌｘ］を指数目盛、色温度［Ｋ］を等分目盛としたとき、図６に示すように、低照度ほど色温度の変化率の値が大きい制御曲線Ｌ３になっている。この制御曲線Ｌ３は、全光束（照度）と全放射光の色温度とを変数とし、ｎ次関数またはｎ次関数の組合わさった関数である。
【００３２】
このような第３実施形態でも、第１実施形態と同様の効果が得られる。
【００３３】
（第４実施形態）
図７は本発明に係る第４実施形態の照明装置の制御部による制御内容の説明図である。
【００３４】
第４実施形態の照明装置は、制御線が第１実施形態の制御線と相違する以外は第１実施形態の照明装置と同様に構成される。すなわち、第４実施形態の制御線は、図７に示すように、高照度ほど色温度の変化率の値が大きい制御曲線Ｌ４になっている。この制御曲線Ｌ４は、照度と色温度の変化に関する官能評価により導かれたものである。官能評価項目のうち、「落ち着く」と「爽やか」に関して指標とし、低照度・低色温度領域においては「落ち着く」評価が有意に高い部分に制御曲線Ｌ４を設定し、高照度・高色温度領域においては「爽やか」評価が有意に高い部分に制御曲線Ｌ４が重なるように設定してある。そして、それらのポイントを滑らかにつないだ曲線を制御曲線Ｌ４に設定してある。
【００３５】
このような第３実施形態でも、第１実施形態と同様の効果が得られる。また、照度と色温度の変化に関する官能評価により導かれた「落ち着き」と「爽やか」の領域をトレースするように、照明装置の全光束および全放射光の色温度を連動させながら連続的に変化させるので、使う人にとって心地よい照明空間を簡単に提供できる。
【００３６】
なお、上記各実施形態では、複数の光源として環状蛍光灯１１Ａ，１１Ｂが使用される構成になっているが、これに限らず、複数の光源のうち少なくとも１つの光源は、白熱電球、直管蛍光灯、発光ダイオード、または発光ダイオードの集合体である構成でもよい。
【００３７】
【発明の効果】
以上のことから明らかなように、請求項１記載の発明の照明装置は、発光色の異なる複数の光源と、これら複数の光源をそれぞれ個別に点灯する複数の点灯回路部と、これら複数の点灯回路部を制御することにより、前記複数の光源から放射される全光束および全放射光の色温度を連動させながら連続的に変化させる制御部とを備えるので、照明の演出範囲を限定することなく、色温度を変化させることができる。
【００３８】
請求項２記載の発明は、請求項１記載の照明装置において、前記制御部は、前記全光束の調節入力情報に従って、前記全光束を連続的に変化させるとともに前記全放射光の色温度を連続的に変化させるので、照明に関する専門的な知識を必要とせずに、簡単な調節により色温度を変化させることができる。
【００３９】
請求項３記載の発明は、請求項１または２記載の照明装置において、前記制御部は、前記全光束の増加調節操作による入力情報に従って、前記全光束を連続的に増加させるとともに前記全放射光の色温度を連続的に高くする一方、前記全光束の減少調節操作による入力情報に従って、前記全光束を連続的に減少させるとともに前記全放射光の色温度を連続的に低くするので、照明に関する専門的な知識を必要とせずに、簡単な調節により色温度を変化させることができる。
【００４０】
請求項４記載の発明は、請求項１から３のいずれかに記載の照明装置において、前記制御部は、照度と色温度の変化に関する官能評価により導かれた制御曲線または直線に沿って、前記全光束および全放射光の色温度を連動させて連続的に変化させるので、使う人にとって心地よい照明空間を簡単に提供できる。
【００４１】
請求項５記載の発明は、請求項１から４のいずれかに記載の照明装置において、前記複数の光源のうち少なくとも１つの光源は白熱電球であり、この構成でも照明の演出範囲を限定することなく、色温度を変化させることができる。
【００４２】
請求項６記載の発明は、請求項１から４のいずれかに記載の照明装置において、前記複数の光源のうち少なくとも１つの光源は環形蛍光灯であり、この構成でも照明の演出範囲を限定することなく、色温度を変化させることができる。
【００４３】
請求項７記載の発明は、請求項１から４のいずれかに記載の照明装置において、前記複数の光源のうち少なくとも１つの光源は直管蛍光灯であり、この構成でも照明の演出範囲を限定することなく、色温度を変化させることができる。
【００４４】
請求項８記載の発明は、請求項１から４のいずれかに記載の照明装置において、前記複数の光源のうち少なくとも１つの光源は、発光ダイオードまたは発光ダイオードの集合体により構成されるのであり、この構成でも照明の演出範囲を限定することなく、色温度を変化させることができる。
【図面の簡単な説明】
【図１】本発明に係る第１実施形態の照明装置の構成図である。
【図２】同照明装置の構造を示す図である。
【図３】同照明装置用のリモコンを示す図である。
【図４】同照明装置の制御部による制御内容の説明図である。
【図５】本発明に係る第２実施形態の照明装置の制御部による制御内容の説明図である。
【図６】本発明に係る第３実施形態の照明装置の制御部による制御内容の説明図である。
【図７】本発明に係る第４実施形態の照明装置の制御部による制御内容の説明図である。
【図８】従来の照明装置の説明図である。
【図９】従来の照明装置の説明図である。
【符号の説明】
１０　制御部
１１Ａ，１１Ｂ　環状蛍光灯
１２Ａ．１２Ｂ　点灯回路部
１３Ａ，１３Ｂ　インターフェース
１４　リモコン受信部
【図１】
2004095369.tif 000003
【図２】
2004095369.tif 000004
【図３】
2004095369.tif 000005
【図４】
2004095369.tif 000006
【図５】
2004095369.tif 000007
【図６】
2004095369.tif 000008
【図７】
2004095369.tif 000009
【図８】
2004095369.tif 000010
【図９】
2004095369.tif 000011